(57)【要約】【課題】特許文献１の技術を用いるユーザは、スイッチを押下することで実施できるスマートフォンの操作は、（機械を停止するという）１操作のみであり、２以上の操作を行うことができないという課題があった。【解決手段】システムは、複数のスイッチと端末が無線回線を介して接続され、前記スイッチは、爪、又は付け爪に装着されるスイッチであって、押下されると、電気信号を出力する押下部と、前記押下部から電気信号が入力されると、複数の情報の中から選択された、前記スイッチ個体に対応する所定の情報を電波として出力する送信部と、を備えるスイッチであり、前記端末は、受信した電波から抽出した情報に対応する異なる所定の処理を実施する端末である。【選択図】      図６
2016063398.tif 000002
【特許請求の範囲】
【請求項１】
爪、又は付け爪に装着されるスイッチであって、
押下されると、電気信号を出力する押下部と、
前記押下部から電気信号が入力されると、複数の情報の中から選択された、前記スイッチ個体に対応する所定の情報を電波として出力する送信部と、
を備えることを特徴とするスイッチ。
【請求項２】
前記スイッチ個体に対応する識別子を記憶する記憶部を備え、
前記送信部は、前記電気信号が入力されると、前記記憶部に記憶される前記識別子を電波として出力する、
ことを特徴とする請求項１に記載のスイッチ。
【請求項３】
前記記憶部は、自身が備わる前記スイッチ個体の種類に対応する前記識別子を記憶する、
ことを特徴とする請求項２に記載のスイッチ。
【請求項４】
装飾物を備える、
ことを特徴とする請求項１乃至３のいずれか１項に記載のスイッチ。
【請求項５】
受信した電波から抽出した情報に対応する異なる所定の処理を実施する、
ことを特徴とする端末。
【請求項６】
所定時間内に所定回数、受信した電波から同じ前記情報を抽出すると、抽出した前記情報と所定回数に対応する前記所定の処理を実施する、
ことを特徴とする請求項５に記載の端末。
【請求項７】
前記情報は、接続するスイッチ個体に対応する識別子である、
ことを特徴とする請求項５乃至６のいずれか１項に記載の端末。
【請求項８】
複数のスイッチと端末が無線回線を介して接続され、
前記スイッチは、請求項１乃至４のいずれか１項に記載のスイッチであり、
前記端末は、請求項５乃至７のいずれか１項に記載の端末である、
ことを特徴とするシステム。
【請求項９】
爪、又は付け爪に装着されたスイッチが押下されると、複数の情報の中から選択された、前記スイッチ個体に対応する所定の情報を含む信号を生成する生成工程と、
受信した電波から抽出した前記信号に含まれる情報に対応して異なる所定の処理を行う前記端末に対し、前記信号を電波として出力する出力工程を有する、
ことを特徴とする端末制御方法。
【請求項１０】
前記生成工程は、押下された前記スイッチ個体の種類に対応する所定の情報を含む前記信号を生成する、
ことを特徴とする請求項９に記載の端末制御方法。
【発明の詳細な説明】
【技術分野】
【０００１】
本発明は、スイッチ、端末、システム、端末制御方法に関し、特に、端末の機能を制御するスイッチ、端末、システム、端末制御方法に関する。
【背景技術】
【０００２】
一般的に、スマートフォンのユーザは、スマートフォンを操作するとき、例え、簡単な操作（例えば、聞いている音楽の早送り）をするときであっても、スマートフォンを取り出し、両手を使って操作する。両手を使って操作する為に、スマートフォンのユーザは、一定のスペースを確保する必要がある。
【０００３】
その為、スマートフォンのユーザは、満員電車に乗車中や歩行中には、簡単にスマートフォンを操作することができないという課題があった。
【０００４】
上述の課題を解決する技術としては、以下の特許文献１に開示がされている。
【０００５】
特許文献１の技術は、作業者の爪に装着されたスイッチが作業者によって押下されたとき、スイッチと一体に形成されている送信機が予定周波数の信号を送信し、それを受信した電子機器（保安装置）が、稼働している機械を停止する、というものである。
【０００６】
特許文献１の技術を用いる作業者は、危険が迫ったときに、爪のスイッチを押下することで、すぐに機械を停止することができ、事故を未然に防ぐことができる。
【０００７】
上述の電子機器は、スマートフォンであってもよく、その場合、特許文献１の技術を用いる作業者は、爪のスイッチを押下することで、（機械を停止するという）スマートフォンの操作を行うことができる。
【０００８】
その際、作業者は、片手で爪のスイッチを押下できるので、（例えば、中指の爪に装着されたスイッチをその手の親指で押下することができるので、）満員電車内等狭いスペースでも簡単に（機械を停止するという）スマートフォンの操作を実施することができる。
【先行技術文献】
【特許文献】
【０００９】
【特許文献１】特開平６−２２３２８９号公報
【発明の概要】
【発明が解決しようとする課題】
【００１０】
しかし、特許文献１のシステムでは、スイッチを爪に装着したユーザは、スイッチを押下することで実施できるスマートフォンの操作は、（機械を停止するという）１操作のみであり、複数の操作を行うことができないという課題があった。
【００１１】
なぜなら、特許文献１のシステムにおいて、スイッチは、送信するのは１種類の予定周波数の信号だけであり、スマートフォンも信号を受信すると１つの処理を行うだけだからである。
【００１２】
本発明は、上記課題を解決するスイッチ、端末、システム、端末制御方法を提供することを目的とする。
【課題を解決するための手段】
【００１３】
上記目的を達成するために、本発明のスイッチは、爪、又は付け爪に装着されるスイッチであって、押下されると、電気信号を出力する押下部と、前記押下部から電気信号が入力されると、複数の情報の中から選択された、前記スイッチ個体に対応する所定の情報を電波として出力する送信部と、を備える。
【００１４】
上記目的を達成するために、本発明の端末は、受信した電波から抽出した情報に対応する異なる所定の処理を実施する。
【００１５】
上記目的を達成するために、本発明のシステムは、複数のスイッチと端末が無線回線を介して接続され、前記スイッチは、爪、又は付け爪に装着されるスイッチであって、押下されると、電気信号を出力する押下部と、前記押下部から電気信号が入力されると、複数の情報の中から選択された、前記スイッチ個体に対応する所定の情報を電波として出力する送信部と、を備えるスイッチであり、前記端末は、受信した電波から抽出した情報に対応する異なる所定の処理を実施する端末である。
【００１６】
上記目的を達成するために、本発明の端末制御方法は、爪、又は付け爪に装着されたスイッチが押下されると、複数の情報の中から選択された、前記スイッチ個体に対応する所定の情報を含む信号を生成する生成工程と、受信した電波から抽出した前記信号に含まれる情報に対応して異なる所定の処理を行う前記端末に対し、前記信号を電波として出力する出力工程を有する。
【発明の効果】
【００１７】
本発明によれば、スイッチを爪に複数装着したスマートフォンのユーザは、満員電車内等の狭いスペースにおいても、スマートフォンを取り出すことなく、複数のスマートフォンの操作を実施することができる。
【図面の簡単な説明】
【００１８】
【図１】本発明の第１の実施の形態におけるシステムの構成例を示す図である。
【図２】本発明の第１の実施の形態におけるシステムに備わるスイッチの爪への装着例を示す図である。
【図３】本発明の第１の実施の形態におけるシステムの動作を説明する為の図である。
【図４】本発明の第２の実施の形態におけるシステムの構成例を示す図である。
【図５】本発明の第２の実施の形態におけるシステムの動作を説明する為の図である。
【図６】本発明の第３の実施の形態におけるシステムの構成例を示す図である。
【発明を実施するための形態】
【００１９】
次に本発明の実施形態について、図面を参照して詳細に説明する。
【００２０】
≪第１の実施の形態≫
[概要]
本発明の第１の実施の形態におけるシステムでは、スマートフォンのユーザは、爪に複数のスイッチを装着する。装着された爪のスイッチには、そのスイッチ固有の識別子が予め設定されている。
【００２１】
スマートフォンのユーザは、装着した爪のスイッチを押下する。爪のスイッチは、押下されると、自身に設定されているスイッチ固有の識別子をスマートフォンに送信する。スマートフォンは、受信した電波から上述の識別子を抽出すると、その識別子に対応する処理（例えば、音楽再生処理）を行う。その際、スマートフォンは、識別子毎に異なる処理（例えば、音楽再生処理や音楽早送り処理）を行う。
【００２２】
その結果、スマートフォンのユーザは、爪の各スイッチを押下することで、複数のスマートフォンの操作（例えば、音楽再生処理や音楽早送り処理）を行うことができる。また、スマートフォンのユーザは、片手で爪のスイッチを押下できるので、満員電車内等狭いスペースでも簡単にスマートフォンの操作を実施することができる。
【００２３】
なお、上述のスイッチは、クリスタルガラス等による装飾が施されていて、スマートフォンのユーザ（特に女性）が購入を惹起しやすいようになっている。
【００２４】
以下に、本発明の第１の実施の形態におけるシステムの構成や機能、動作について説明する。
【００２５】
［構成の説明］
まず、本発明の第１の実施の形態におけるシステムの構成と機能について説明する。図１は、本発明の第１の実施の形態におけるシステムの構成例を示す図である。
【００２６】
（１）本発明の第１の実施の形態におけるシステムの構成
本実施形態のシステムは、図１に示されるように、装飾付スイッチ１と、スマートフォン２と、一般的なイヤホン３と、を備える。装飾付スイッチ１は、スマートフォン２と無線回線を介して接続される。スマートフォン２は、一般的なイヤホン３に接続される。
【００２７】
（２）装飾付スイッチ１の構成
装飾付スイッチ１は、押下部１０と、記憶部１１と、送信部１２と、給電部１３と、装飾部１４と、を備える。
【００２８】
また、給電部１３は、記憶部１１と送信部１２に接続される。また、送信部１２は、押下部１０と、記憶部１１に接続される。
【００２９】
（３）スマートフォン２の構成
スマートフォン２は、処理部２０と、制御部２１と、を備える。
【００３０】
処理部２０は、制御部２１と接続される。
【００３１】
（４）装飾付スイッチ１を構成する各部位の機能
（４−１）押下部１０と記憶部１１の機能
押下部１０は、押下されると、電気信号を出力する。その為に、押下部１０は、その上面全体に一般的な圧電素子を備えてもよい。圧電素子は、圧力が加わると電気信号を発生する素子である。押下部１０は、上から押下されると、（その押圧により）圧電素子が発生した電気信号を出力する。
【００３２】
記憶部１１は、ＲＯＭ（Ｒｅａｄ  Ｏｎｌｙ  Ｍｅｍｏｒｙ）であり、装飾付スイッチ１個体に対応する識別子（以下、「スイッチＩＤ」という）を記憶する。上述のスイッチＩＤは、番号であってもよく、装飾付スイッチ１の製造者によって製造時に記憶部１１に書き込まれる。
【００３３】
（４−２）送信部１２の機能
送信部１２は、スマートフォン２と通信を行う為の一般的な無線通信機能を備える。上述の無線通信機能は、例えば、３ＧＰＰ（３ｒｄ  Ｇｅｎｅｒａｔｉｏｎ  Ｐａｒｔｎｅｒｓｈｉｐ  Ｐｒｏｊｅｃｔ）に準拠する無線通信機能、若しくはＷｉＦｉ（登録商標）通信機能であってもよい。ＷｉＦｉは、Ｗｉｒｅｌｅｓｓ  Ｆｉｄｅｌｉｔｙの略称である。
【００３４】
送信部１２は、電力が供給されると、起動する。送信部１２は、起動後、押下部１０から電気信号が入力されると、記憶部１１から上述のスイッチＩＤを読み出し、上述の一般的な無線通信機能によって、読み出したスイッチＩＤを電波として送信する。
【００３５】
なお、上述のスイッチＩＤは、他の情報と一緒に送信されてもよい。図１では、スイッチＩＤに加え、スイッチがＯＮされたことを示す識別子が一緒に送信された場合を記載している。
【００３６】
（４−３）給電部１３の機能
給電部１３は、電池を備える。なお、給電部１３に備わる電池は、アクティブ型のＲＦＩＤ（Ｒａｄｉｏ  ｆｒｅｑｕｅｎｃｙ  ｉｄｅｎｔｉｆｉｅｒ）タグに内蔵される小型の電池であってもよい。給電部１３（電池）は、接続する送信部１２と記憶部１１に、電力を供給する。
【００３７】
（４−４）装飾部１４について
装飾部１４は、スイッチを装飾する為の部位である。装飾部１４は、彩光の角度によって虹色に輝くクリスタルガラスで装飾された資材であってもよい。装飾部１４は、装飾付スイッチ１の製造者によって、押下部１０の上面に貼り付けられる。
【００３８】
なお、装飾部１４は、クリスタルガラスのみで装飾されなくてもよい。装飾部１４は、クリスタルガラス、白金等の貴金属、ラインストーン、ビーズ、及び宝石が組み合わされて装飾されてもよい。
【００３９】
（４−５）装飾付スイッチ１の爪への装着
図２は、装飾付スイッチ１の爪への装着例を示す図である。
【００４０】
装飾付スイッチ１は、図２に示されるように、スマートフォン２のユーザの爪に複数装着される。スマートフォン２のユーザは、ネイル用粘着剤を装飾付スイッチ１の下面に塗って装飾付スイッチ１を爪に装着してもよい。
【００４１】
以下では、図２に示されるように、左手の人差し指の爪、左手の中指の爪、左手の薬指の爪に装着されたものとして説明を続ける。なお、人差し指の爪に装着した装飾付スイッチ１は、以下、「装飾付スイッチ１＿１」といい、中指の爪に装着した装飾付スイッチ１は、以下、「装飾付スイッチ１＿２」という。さらに、薬指の爪に装着した装飾付スイッチ１は、以下、「装飾付スイッチ１＿３」という。装飾付スイッチ１は、他のネイル装飾品と共に、爪に装着されてもよい。
【００４２】
（４−６）各機能部の実現手段について
上述の押下部１０は、圧電素子と電気回路で実現することができる。記憶部１１は、ＲＯＭと電気回路で実現することができる。送信部１２は、電気回路で実現することができる。給電部１３は、電池と電気回路で実現することができる。
【００４３】
なお、装飾付スイッチ１の各機能部は、装飾付スイッチ１が爪に装着できる大きさで実現される必要がある。その為に、記憶部１１のＲＯＭは、爪より十分小さい（例えば、２．５ｍｍ角の）ＲＦＩＤタグに搭載されている一般的なＲＯＭ、若しくは、超小型のＩＣ（Ｉｎｔｅｇｒａｔｅｄ  Ｃｉｒｃｕｉｔ）チップに搭載されている一般的なＲＯＭであってもよい。また、給電部１３の電池は、上述の「（４−３）給電部１３の機能」でも説明したが、爪より十分小さいアクティブ型のＲＦＩＤタグに内蔵される小型の電池であってもよい。さらに、送信部１２は、爪より十分小さい（例えば、ＲＦＩＤタグに搭載されている）一般的な無線チップを備え、無線チップにてスマートフォン２と無線通信を行うようにしてもよい。各機能部の電気回路は、一般的な超小型のＩＣチップと同様に、一般的な集積回路技術によって、爪より十分小さい大きさに実現する。
【００４４】
（５）スマートフォン２を構成する各部位（処理部２０と制御部２１）の機能
（５−１）処理部２０の機能
処理部２０は、一般的なデジタルオーディオプレーヤー機能を備える。
【００４５】
すなわち、処理部２０は、音楽再生信号が入力されると、予め記憶している音楽ファイルを１曲目から再生し、デジタル信号として、イヤホン３に出力する。また、処理部２０は、音楽早送り信号が入力されると、現在再生している曲の次の曲の音楽ファイルを再生し、デジタル信号として、イヤホン３に出力する。さらに、処理部２０は、音楽巻き戻し信号が入力されると、現在再生している曲の前の曲の音楽ファイルを再生し、デジタル信号として、イヤホン３に出力する。処理部２０は、音楽停止信号が入力されると、音楽ファイルの再生を停止する。
【００４６】
（５−２）制御部２１の機能
（５−２−１）無線通信機能
制御部２１は、各指に装着された装飾付スイッチ１の送信部１２と通信を行う為、一般的な無線通信機能を備える。上述の無線通信機能は、例えば、３ＧＰＰに準拠する無線通信機能、若しくはＷｉＦｉ通信機能であってもよい。
【００４７】
制御部２１は、一般的な無線通信機能によって、電波を受信し、受信した電波からスイッチＩＤを抽出する。
【００４８】
（５−２−２）スマートフォン２の処理を実施する機能
制御部２１は、抽出したスイッチＩＤに対応する信号を処理部２０に出力する。
【００４９】
具体的には、制御部２１は、抽出したスイッチＩＤが１ならば、音楽再生信号を出力し、スイッチＩＤが２ならば、音楽早送り信号を出力し、スイッチＩＤが３ならば、音楽巻き戻し信号を出力する。また、制御部２１は、抽出したスイッチＩＤが４以上ならば、音楽停止信号を出力する。
【００５０】
処理部２０と制御部２１は、電子回路で実現することができる。
【００５１】
［動作の説明］
図３は、本発明の第１の実施の形態におけるシステムの動作を説明する為の図である。図３を用いて、本実施形態のシステムの詳細な動作を以下に説明する。
【００５２】
（１）装飾付スイッチ１の装着
まず、スマートフォン２のユーザ（特に、女性）は、家を出る前等に、自身の爪に装飾付スイッチ１を複数装着する。
【００５３】
以下では、スマートフォン２のユーザが、左手の人差し指、中指、薬指の爪に、それぞれ１つずつ装飾付スイッチ１を装着したものとして説明を続ける。
【００５４】
上述の「（４−５）装飾付スイッチ１の爪への装着」で説明した通り、人差し指の爪に装着した装飾付スイッチ１は、以下、「装飾付スイッチ１＿１」といい、中指の爪に装着した装飾付スイッチ１は、以下、「装飾付スイッチ１＿２」という。さらに、薬指の爪に装着した装飾付スイッチ１は、以下、「装飾付スイッチ１＿３」という。
【００５５】
なお、装飾付スイッチ１＿１にはスイッチＩＤ＝１が、装飾付スイッチ１＿２にはスイッチＩＤ＝２が、装飾付スイッチ１＿３にはスイッチＩＤ＝３が、それぞれの記憶部１１に書き込まれている。また、送信部１２は、接続する給電部１３（電池）から電力が供給されており、起動している。
【００５６】
（２）会社や学校等に出発
複数の装飾付スイッチ１を装着したスマートフォン２のユーザは、会社や学校等に向かう為、電車に乗車したとする。
【００５７】
（３）音楽再生操作
（３−１）装飾付スイッチ１の操作
しかし、乗車した電車は多くの人で混在する満員電車であり、スマートフォン２のユーザは、スマートフォン２を取り出して操作するスペースがない。
【００５８】
そのようなとき、スマートフォン２のユーザは、図３に示されるように、左手の人差し指の爪に装着された装飾付スイッチ１＿１を押下する（Ｓ１）。
【００５９】
スマートフォン２のユーザは、押下する際、左手の指を折り曲げ、人差し指の爪に装着された装飾付スイッチ１＿１を、同じ左手の親指の腹で押下する。すなわち、スマートフォン２のユーザは、片手で装飾付スイッチ１＿１を押下する。
【００６０】
このとき、装飾付スイッチ１＿１が押下されると、その押下部１０（圧電素子）に押圧が加わる。
【００６１】
（３−２）装飾付スイッチ１の動作
次に、装飾付スイッチ１＿１の押下部１０は、押下による押圧により圧電素子が発生した電気信号を送信部１２に出力する（Ｓ２）。
【００６２】
次に、送信部１２は、押下部１０から電気信号が入力されると、記憶部１１からスイッチＩＤ（値１）を読み出し、読み出したスイッチＩＤ（値１）を、自身に備わる一般的な無線通信機能により電波としてスマートフォン２に送信する（Ｓ３）。
【００６３】
（３−３）スマートフォン２とイヤホン３の動作
次に、スマートフォン２の制御部２１は、一般的な無線通信機能によって、装飾付スイッチ１の送信部１２から電波を受信すると、受信した電波からスイッチＩＤ（値１）を抽出する（Ｓ４）。
【００６４】
次に、スマートフォン２の制御部２１は、抽出したスイッチＩＤ（値１）に対応する所定の信号を処理部２０に出力する（Ｓ５）。
【００６５】
具体的には、制御部２１は、抽出したスイッチＩＤ（値１）に対応する音楽再生信号を処理部２０に出力する。
【００６６】
次に、処理部２０は、制御部２１から音楽再生信号が入力されると、一般的なデジタルオーディオプレーヤー機能によって、記憶している音楽ファイルの１曲目から再生し、デジタル信号として、イヤホン３に出力する（Ｓ６）。
【００６７】
次に、イヤホン３は、入力されたデジタル信号を音として出力する（Ｓ７）。
【００６８】
スマートフォン２のユーザは、左手の人差し指の爪に装着した装飾付スイッチ１＿１を押下することで、音楽を再生することができる。
【００６９】
（４）音楽早送り操作
（４−１）満員電車の中
その後、スマートフォン２のユーザは、再生している音楽が好みに合わなかったので、その次の曲を聴きたくなったとする。スマートフォン２のユーザは、まだ、混雑する満員電車に乗っており、スマートフォン２を取り出して操作するスペースがない。
【００７０】
（４−２）装飾付スイッチ１の操作
混雑する満員電車の中において、スマートフォン２のユーザは、図示していないが、中指の爪に装着した装飾付スイッチ１＿２を押下する。装飾付スイッチ１＿２は、スイッチＩＤが値２を記憶するスイッチである。
【００７１】
（４−３）装飾付スイッチ１＿２の動作
次に、装飾付スイッチ１＿２は、押下されると、装飾付スイッチ１＿１と同様、上述のＳ２とＳ３を実施する。すなわち、装飾付スイッチ１＿２は、記憶するスイッチＩＤ（値２）を電波としてスマートフォン２に送信する。
【００７２】
（４−４）スマートフォン２とイヤホン３の動作
次に、スマートフォン２は、装飾付スイッチ１＿２の送信部１２から電波を受信すると、図示していないが、装飾付スイッチ１＿１と同様、上述のＳ４〜Ｓ６を実施する。
【００７３】
具体的には、スマートフォン２の制御部２１は、受信した電波からスイッチＩＤ（値２）を抽出し、抽出したスイッチＩＤ（値２）に対応する音楽早送り信号を処理部２０に出力する。処理部２０は、音楽早送り信号が入力されると、自身に備わるデジタルオーディオプレーヤー機能によって、現在再生している曲の次の曲の音楽ファイルを再生し、デジタル信号として、イヤホン３に出力する。イヤホン３は、入力されたデジタル信号を音として出力する。
【００７４】
スマートフォン２のユーザは、次の曲を聴くことができる。スマートフォン２のユーザは、左手の中指の爪に装着した装飾付スイッチ１＿２を押下することで、音楽を早送りすることができる。
【００７５】
（５）音楽巻き戻し操作
（５−１）満員電車の中
次に、スマートフォン２のユーザは、再生している音楽の前の曲が好みだったので、もう一度、その曲を聞きたくなったとする。しかし、スマートフォン２のユーザは、未だ、混在する満員電車に乗っており、スマートフォン２を取り出して操作するスペースがない。
【００７６】
（５−２）装飾付スイッチ１の操作
混雑する満員電車の中において、スマートフォン２のユーザは、図示していないが、薬指の爪に装着した装飾付スイッチ１＿３を押下する。装飾付スイッチ１＿３は、スイッチＩＤが値３を記憶するスイッチである。
【００７７】
（５−３）装飾付スイッチ１＿３の動作
次に、装飾付スイッチ１＿３は、押下されると、装飾付スイッチ１＿１と同様、上述のＳ２とＳ３を実施する。すなわち、装飾付スイッチ１＿３は、記憶するスイッチＩＤ（値３）を電波としてスマートフォン２に送信する。
【００７８】
（５−４）スマートフォン２とイヤホン３の動作
次に、スマートフォン２は、装飾付スイッチ１＿３の送信部１２から電波を受信すると、図示していないが、装飾付スイッチ１＿１と同様、上述のＳ４〜Ｓ６を実施する。
【００７９】
具体的には、スマートフォン２の制御部２１は、受信した電波からスイッチＩＤ（値３）を抽出し、抽出したスイッチＩＤ（値３）に対応する音楽巻き戻し信号を処理部２０に出力する。処理部２０は、音楽巻き戻し信号が入力されると、自身に備わるデジタルオーディオプレーヤー機能によって、現在再生している曲の前の曲の音楽ファイルを再生し、デジタル信号として、イヤホン３に出力する。イヤホン３は、入力されたデジタル信号を音として出力する。
【００８０】
スマートフォン２のユーザは、前の曲を聴くことができる。スマートフォン２のユーザは、左手の薬指の爪に装着した装飾付スイッチ１＿３を押下することで、音楽を早送りすることができる。
【００８１】
上記の通り、スマートフォン２のユーザは、複数のスマートフォンの操作（例えば、音楽再生、音楽早送り、音楽巻き戻し）を行うことができる。
【００８２】
（６）装飾付スイッチ１の数について
なお、スマートフォン２のユーザは、３つに限らず、４つ以上、装飾付スイッチ１を爪に装着してよい。例えば、スマートフォン２のユーザは、人差し指、中指、薬指の爪に加え、小指の爪にも装飾付スイッチ１（以下、「装飾付スイッチ１＿４」という）を装着してもよい。装飾付スイッチ１＿４には、スイッチＩＤとして値４が記憶部１１に記憶されている。
【００８３】
装飾付スイッチ１＿４は、押下されると、上述のＳ２、Ｓ３を実施し、スイッチＩＤ（値４）を電波としてスマートフォン２に送信する。スマートフォン２は、受信した電波からスイッチＩＤ（値４）を抽出し、抽出したスイッチＩＤ（４以上の値）に対応する音楽停止信号を処理部２０に出力する。処理部２０は、音楽の再生を停止する。
【００８４】
（７）スイッチＩＤについて
スマートフォン２のユーザは、装飾部１４の装飾に応じて、装飾付スイッチ１が何種類かあるものと認識することができる。例えば、装飾部１４がクリスタルガラスのみで装飾されている装飾付スイッチ１と、装飾部１４が白銀及び宝石で装飾されている装飾付スイッチ１とがあった場合、スマートフォン２のユーザは、２種類の装飾付スイッチ１があると認識することができる。
【００８５】
そこで、装飾付スイッチ１の製造者は、製造時に、装飾付スイッチ１の種類に対応する番号を、スイッチＩＤとして記憶部１１に書き込んでもよい。
【００８６】
上述の場合、スマートフォン２のユーザは、複数の種類の装飾付スイッチ１を装着する。各装飾付スイッチ１は、スマートフォン２のユーザによって押下されると、上述のＳ２、Ｓ３を実施し、その種類に対応するスイッチＩＤを送信する。スマートフォン２の制御部２１は、上述のＳ４〜Ｓ６を実施し、受信した電波からスイッチＩＤを抽出し、抽出したスイッチＩＤに対応する異なる処理を行う。すなわち、スマートフォン２の制御部２１は、装飾付スイッチ１の種類に対応する異なる処理を行う。
【００８７】
その結果、スマートフォン２のユーザは、装飾付スイッチ１の種類毎に、異なるスマートフォン２の操作を行うことができる。
【００８８】
（８）所定の処理について
上記では、制御部２１が、スイッチＩＤに対応していくつかの信号を処理部２０に出力したが、出力する信号は、スマートフォン２を操作できる信号であれば、どのような信号であってもよい。但し、スマートフォン２のユーザが複数のスマートフォンの操作を実施することができるよう、出力する信号の少なくとも２つは、異なるものとする。
【００８９】
（９）装飾付スイッチ１を装着するものについて
上記では、スマートフォン２のユーザは、爪の上に付け爪を付けている場合には、その付け爪上に装飾付スイッチ１をつけてもよい。
【００９０】
［効果の説明］
本実施形態によれば、爪に複数の装飾付スイッチを装着したスマートフォンのユーザは、満員電車内等の狭いスペースにおいても、スマートフォンを取り出すことなく、複数のスマートフォンの操作（例えば、曲再生や早送り）を実施することができる。
【００９１】
複数の操作を実施できる理由としては、爪に装着された装飾付スイッチそれぞれが、押下されると、そのスイッチ固有の識別子をスマートフォン２に無線で通知し、スマートフォン２は、無線で受信した上述の識別子に応じて異なる処理を行うからである。
【００９２】
また、満員電車内等の狭いスペースにおいてスマートフォンを操作できる理由としては、スマートフォンのユーザが、満員電車内等の狭いスペースであっても、爪に装着されている装飾付スイッチを片手で押下できるからである。
【００９３】
さらに、各装飾付スイッチに、その種類を示す識別子が製造者によって設定された場合、複数の種類の装飾付スイッチを装着したスマートフォンのユーザは、各種類の装飾付スイッチを押下することで、複数のスマートフォンの操作を実施することができる。
【００９４】
なぜなら、爪に装着された装飾付スイッチそれぞれが、押下されると、そのスイッチの種類に対応する識別子をスマートフォン２に無線で通知し、スマートフォン２は、無線で受信した上述の識別子に応じて異なる処理を行うからである。
【００９５】
≪第２の実施の形態≫
次に、本発明の第２の実施の形態について説明する。
【００９６】
第２の実施形態のシステムのスマートフォンは、短時間に所定回数（例えば２回）、同じスイッチＩＤを受信した場合に所定の処理を行う。第２の実施形態のシステムは、第１の実施形態のシステムの１つであり、その効果は、第１の実施形態のシステムと同じである。
【００９７】
以下に、第２の実施の形態のシステムの構成と動作について説明する。図４は、本発明の第２の実施の形態におけるシステムの構成例を示す図である。
【００９８】
［構成の説明］
（１）第２の実施形態のシステムの構成
第２の実施形態のシステムは、図４に示されるように、スマートフォン２の代わりに、スマートフォン４を備える。スマートフォン４は、処理部２０と制御部２１の代わりに、処理部４０と制御部４１を備える。処理部４０は、制御部４１と接続される。
【００９９】
（２）処理部４０と制御部４１の機能
（２−１）処理部４０の機能
処理部４０は、一般的なシャッフル再生機能を含むデジタルオーディオプレーヤー機能を備える。すなわち、処理部４０は、音楽をランダムに再生することを指示する信号が入力されると、予め記憶している音楽ファイルをランダムに再生し、デジタル信号として、イヤホン３に出力する。
【０１００】
（２−２）制御部４１の機能
（２−２−１）制御部４１の機能概要
制御部４１は、短時間に所定回数（例えば２回）、所定のスイッチＩＤ（例えば、装飾付スイッチ１＿１のスイッチＩＤ）を受信した場合に、音楽をランダムに再生することを指示する信号を出力する。
【０１０１】
具体的には、制御部４１は、以下の機能を有する。
【０１０２】
（２−２−２）制御部４１の機能詳細
（２−２−２−１）短時間に所定回数、所定のスイッチＩＤを受信したかを判別する機能
まず、制御部４１は、所定のスイッチＩＤについて、その受信回数をカウントする為のカウンタを備える。カウンタの初期値は０である。
【０１０３】
また、制御部４１は、受信した電波からスイッチＩＤを抽出すると、抽出したスイッチＩＤが所定のスイッチＩＤかを判別する。抽出したスイッチＩＤは、受信したスイッチＩＤである。
【０１０４】
制御部４１は、抽出したスイッチＩＤが所定のスイッチＩＤである場合には、カウンタの値を１つインクリメントする。受信した所定のスイッチＩＤの回数を計測する為である。
【０１０５】
制御部４１は、カウンタの値を１つインクリメントすると、カウンタ値が１であるか判定する。
【０１０６】
制御部４１は、カウンタ値が１であるとき、すなわち、初めて所定のスイッチＩＤを受信したときには、自身に備わる計時機能（以下、「タイマ」という）を起動し、時間の計測を開始する。制御部４１は、カウンタ値が１でないときには、タイマを起動しない。
【０１０７】
制御部４１は、タイマを起動し、時間の計測を開始した後、計測する時間が所定の時間を経過したか（以下、「タイマ満了となったか」という）否かを判別する。
【０１０８】
上述の所定の時間は、スマートフォン２の製造者によって制御部４１に設定される。スマートフォン２の製造者は、所定の時間として、比較的短い時間（１〜２秒程度）を設定する。
【０１０９】
制御部４１は、タイマ満了となっていない場合には、受信した電波からスイッチＩＤを抽出されるのを待つ。スイッチＩＤを抽出すれば、制御部４１は、再度、上述した「（２−２−２−１）」の機能を実施する。
【０１１０】
一方、制御部４１は、タイマ満了となった場合には、タイマを停止し、カウンタ値（受信回数）が所定回数であるか否かを判別する。上述の判別により、制御部４１は、短時間に所定回数、所定のスイッチＩＤを受信したかを判別する。
【０１１１】
上述の所定回数は、スマートフォン２の製造者によって制御部４１に設定される。スマートフォン２の製造者は、所定回数として値２（２回）を制御部４１に設定してもよい。
【０１１２】
（２−２−２−２）出力機能
制御部４１は、カウンタ値（受信回数）が所定回数（例えば２回）である場合には、所定の信号を出力する。具体的には、制御部４１は、カウンタ値（受信回数）が所定回数（例えば２回）である場合には、音楽をランダムに再生することを指示する信号を出力する。
【０１１３】
上述の音楽をランダムに再生することを指示する信号は、スイッチＩＤ（値１のスイッチＩＤ）と所定回数（例えば２回）に対応する信号である。
【０１１４】
なお、制御部４１は、信号を出力すると、カウンタ値を０に初期化する。次に、タイマを起動できるようにするためである。
【０１１５】
上述した以外の構成や機能は、第１の実施の形態におけるシステムと同じであるので、同一の符号を付して説明を省略する。
【０１１６】
[動作の説明]
次に、本実施形態のシステムの動作を説明する。図５は、本発明の第２の実施の形態におけるシステムの動作を説明する為の図である。
【０１１７】
（１）スマートフォン４のユーザの動作
まず、スマートフォン４のユーザは、複数の装飾付スイッチ１を装着し、そのうち、人差し指の爪に装着している装飾付スイッチ１＿１を短時間に２回押下（すなわち、２度押し）したとする。
【０１１８】
装飾付スイッチ１＿１は、押下されるたびに、上述のＳ２、Ｓ３を実施し、スイッチＩＤ（値１）を２回、スマートフォン４に送信する。
【０１１９】
（２）スマートフォン４の動作
スマートフォン４の制御部４１は、まず、１つ目のスイッチＩＤ（値１）を含む電波を受信する。
【０１２０】
（２−１）１つ目のスイッチＩＤ（値１）を受信したとき
スイッチＩＤ（値１）を含む電波を受信したスマートフォン４の制御部４１は、上述のＳ４と同様、受信した電波からスイッチＩＤ（値１）を抽出する（Ｓ４）。
【０１２１】
抽出したスイッチＩＤは、受信したスイッチＩＤである。
【０１２２】
次に、スマートフォン４の制御部４１は、上述のＳ４で受信（抽出）したスイッチＩＤが所定のスイッチＩＤかを判別する（Ｓ２０）。
【０１２３】
上述の所定のスイッチＩＤは、装着した装飾付スイッチ１＿１に対応する値１であるものとして説明を続ける。所定のスイッチＩＤ（値１）は、スマートフォン２の製造者によって、制御部４１に設定される。
【０１２４】
次に、制御部４１は、受信（抽出）したスイッチＩＤが所定のスイッチＩＤ（値１）である場合には、カウンタの値を１つインクリメントする（Ｓ２１）。受信した所定のスイッチＩＤの数をカウントする為である。
【０１２５】
次に、上述のＳ２１の後、制御部４１は、カウンタ値が１であるか判定する（Ｓ２２）。
【０１２６】
次に、制御部４１は、カウンタ値が１であるとき、すなわち、初めて所定のスイッチＩＤを受信したときには、タイマを起動し、時間の計測を開始する（Ｓ２３）
次に、制御部４１は、タイマにより計測する時間が、所定の時間経過したか否か（すなわち、タイマが満了したか否か）を判別する（Ｓ２４）。
【０１２７】
上述の所定の時間は、スマートフォン２の製造者によって制御部４１に設定される。所定の時間は、短い時間であり、１〜２秒程度に設定されることが望ましい。
【０１２８】
なお、制御部４１は、上述のＳ２２でカウンタ値が１でないときには、上述のＳ２３のようにタイマを起動せず、直接上述のＳ２４を実施する。すでにタイマを起動しているである。
【０１２９】
次に、制御部４１は、タイマにより計測する時間が、所定の時間を経過していない場合（Ｓ２４でＮｏの場合）には、装飾付スイッチ１＿１から２つ目のスイッチＩＤ（値１）を受信するのを待つ。
【０１３０】
（２−２）２つ目のスイッチＩＤ（値１）を受信したとき
２つ目のスイッチＩＤ（値１）を受信したとき、制御部４１は、再度上述のＳ４、Ｓ２０〜Ｓ２４を繰り返し実施し、所定のスイッチＩＤの受信回数をカウントする。
【０１３１】
（２−３）タイマが満了した場合
次に、上述のＳ２４において、タイマにより計測する時間が、所定の時間を経過したとき、すなわちタイマが満了した場合（Ｓ２４でＹｅｓの場合）は、制御部４１は、タイマを停止し、上述のカウンタ値（受信回数）が所定回数（２回）か否かを判別する（Ｓ２５）。
【０１３２】
次に、制御部４１は、上述のカウンタ値（受信回数）が所定回数（２回）である場合（Ｓ２５でＹｅｓの場合）には、音楽をランダムに再生することを指示する信号を出力する（Ｓ２６）。
【０１３３】
上述の音楽をランダムに再生することを指示する信号は、スイッチＩＤ（値１のスイッチＩＤ）と所定回数（２回）に対応する信号である。
【０１３４】
次に、制御部４１は、上述の音楽をランダムに再生することを指示する信号を出力すると、カウンタ値を０に初期化する（Ｓ２７）。
【０１３５】
次に、処理部４０は、音楽をランダムに再生することを指示する信号が制御部４１から入力されると、自身に備わる一般的なシャッフル再生機能により、予め記憶している音楽ファイルをランダムに再生し、デジタル信号として、イヤホン３に出力する（Ｓ２７）。
【０１３６】
イヤホン３は、入力されたデジタル信号を音として出力する。
【０１３７】
スマートフォン４のユーザは、ランダムに曲を聴くことができる。
【０１３８】
なお、制御部４１は、上述のＳ２０において、抽出したスイッチＩＤが所定のスイッチＩＤでない場合（Ｓ２０でＮｏの場合）、制御部２１と同様に、上述のＳ５の処理を行う。また、制御部４１は、上述のＳ２５において、カウンタ値（受信回数）が所定回数（２回）でない場合（Ｓ２５でＮｏの場合）も、上述のＳ５の処理を行う。
【０１３９】
その他の動作については、第１の実施の形態の動作と同様である為、詳細の説明を省略する。
【０１４０】
［効果の説明］
第２の実施形態のシステムの効果は、第１の実施形態のシステムと同じである。
【０１４１】
すなわち、爪に複数の装飾付スイッチを装着したスマートフォンのユーザは、満員電車内等の狭いスペースにおいても、スマートフォンを取り出すことなく、複数のスマートフォンの操作（例えば、曲再生や早送り）を実施することができる。
【０１４２】
≪第３の実施の形態≫
図６は、本発明の第３の実施の形態におけるシステムの構成例を示す図である。以下に、第３の実施の形態のシステムの構成と動作について説明する。
【０１４３】
［構成の説明］
（１）第３の実施形態のシステムの構成
第３の実施形態のシステムは、図６に示されるように、複数のスイッチ１００、１１０と端末２００を備える。複数のスイッチ１００、１１０と端末２００は、無線回線を介して接続される。
【０１４４】
（２）スイッチ１００、１１０の構成
スイッチ１００、１１０は、爪、又は付け爪に装着されるスイッチである。
【０１４５】
スイッチ１００は、押下部１０１と、送信部１０２と、を備える。同様に、スイッチ１１０は、押下部１１１と、送信部１１２と、を備える。
【０１４６】
送信部１０２は、押下部１０１に接続される。同様に、送信部１１２は、押下部１１１に接続される。
【０１４７】
（３）スイッチ１００、１１０の各部位の機能
（３−１）押下部１０１、１１１の機能
押下部１０１、１１１は、押下されると、電気信号を出力する。その為に、押下部１０１、１１１は、圧電素子を上面に備えてもよい。押下部１０１、１１１は、押下されたときに、圧電素子が発生する電気信号を出力してもよい。
【０１４８】
（３−２）送信部１０２、１１２の機能
（３−２−１）送信部１０２の機能
送信部１０２は、押下部１０１から電気信号が入力されると、スイッチ１００個体に対応する所定の情報を電波として出力する。
【０１４９】
上述のスイッチ１００個体に対応する情報は、スイッチ１００の製造者によって、複数の情報（例えば、番号１〜１００００）の中から選択され、製造時に送信部１０２に書き込まれる。スイッチ１００個体に対応する情報は、例えば、番号１であってもよい。
【０１５０】
（３−２−２）送信部１１２の機能
同様に、送信部１１２は、押下部１１１から電気信号が入力されると、スイッチ１１０個体に対応する所定の情報を電波として出力する。
【０１５１】
上述のスイッチ１１０個体に対応する情報は、スイッチ１１０の製造者によって、複数の情報（例えば、番号１〜１００００）の中から選択され、製造時に送信部１１２に書き込まれる。
【０１５２】
なお、スイッチ１１０個体に対応する情報は、スイッチ１００個体に対応する情報ではない。その為、スイッチ１１０の製造者は、スイッチ１１０個体に対応する情報として、スイッチ１００個体に対応する情報とは異なる情報を選択する。
【０１５３】
スイッチ１１０個体に対応する情報は、例えば、番号２であってもよい。
【０１５４】
（４）端末２００の構成と機能
端末２００は、受信した電波から抽出した情報に対応する異なる所定の処理を実施する。
【０１５５】
例えば、端末２００は、受信した電波から抽出した情報（番号１）に対応する所定の音楽再生処理を行う。また、端末２００は、受信した電波から抽出した情報（番号２）に対応する所定の音楽停止を行う。
【０１５６】
[動作の説明]
次に、本実施形態のシステムの動作を説明する。
【０１５７】
まず始めに、端末２００のユーザが、左手の人差し指の爪にスイッチ１００を、左手の中指の爪にスイッチ１１０を、装着したとする。
【０１５８】
（１）端末２００の操作（その１）
端末２００のユーザは、満員電車等、端末２００を取り出して両手で操作するスペースがないとき、左手の人差し指の爪に装着されているスイッチ１００（の押下部１０１）を同じ左手の親指の腹（すなわち、片手）で押下する。
【０１５９】
スイッチ１００の押下部１０１は、押下されると、電気信号を送信部１０２に出力する。
【０１６０】
次に、スイッチ１００の送信部１０２は、押下部１０１から電気信号が入力されると、スイッチ１００個体に対応する所定の情報（番号１）を電波として端末２００に出力する。
【０１６１】
次に、端末２００は、受信した電波から抽出した情報（番号１）に対応する所定の音楽再生処理を行う。
【０１６２】
上述の通り、端末２００のユーザは、端末２００に音楽再生処理を実施させることができる。また、スイッチ１００を片手で押下するので、操作を行う為のスペースをとらず、満員電車の中でも操作をすることができる。
【０１６３】
（２）端末２００の操作（その２）
その後、音楽を聴いていた端末２００のユーザは、満員電車等で、左手の中指の爪に装着されているスイッチ１１０（の押下部１１１）を、同じ左手の親指の腹（すなわち、片手）で押下したとする。
【０１６４】
スイッチ１１０の押下部１１１は、押下されると、電気信号を送信部１１２に出力する。
【０１６５】
次に、送信部１１２は、押下部１１１から電気信号が入力されると、スイッチ１１０個体に対応する所定の情報（番号２）を電波として端末２００に出力する。
【０１６６】
次に、端末２００は、受信した電波から抽出した情報（番号２）に対応する所定の音楽停止処理を行う。
【０１６７】
上述の通り、端末２００のユーザは、端末２００に（音楽再生処理以外にも）音楽停止処理を実施させることができる。すなわち、端末２１０のユーザは、各爪のスイッチ１００、１１０を押下することで、端末２００に複数の処理を実施させることができる。
【０１６８】
また、スイッチ１００、１１０を片手で押下するので、操作を行う為のスペースをとらず、端末２００のユーザは、満員電車の中でも簡単に操作をすることができる。
【０１６９】
なお、端末２００のユーザは、付け爪をしている場合には、その付け爪上にスイッチ１００、１１０をつけてもよい。
【０１７０】
（３）送信部１０２、１１２と端末２００の送受信動作について
上述の送信部１０２、１１２は、上述の所定の情報を電波して送信する為に、所定の情報を含む無線信号を生成し、生成した無線信号を電波として送信してもよい。その場合、端末２００は、受信した電波から上述の無線信号を抽出し、抽出した無線信号に含まれる所定の情報に対応して所定の音楽再生処理や音楽停止処理を行う。
【０１７１】
［効果の説明］
本実施形態によれば、爪、又は付け爪に複数の装飾付スイッチを装着した端末２００のユーザは、満員電車内等の狭いスペースにおいても、端末２００を取り出すことなく、複数の端末２００の操作を実施することができる。
【０１７２】
複数の操作を実施できる理由としては、爪、又は付け爪に装着された装飾付スイッチ各々が、押下されると、そのスイッチ固有の識別子を端末２００に無線で通知し、端末２００は、無線で受信した上述の識別子に応じて異なる処理を行うからである。
【０１７３】
また、満員電車内等の狭いスペースにおいて端末２００を操作できる理由としては、端末２００のユーザが、満員電車内等の狭いスペースであっても、爪に装着されている装飾付スイッチを片手で押下できるからである。
【０１７４】
なお、上述した実施の形態は、その形態に限定されるものではなく、実施段階ではその要旨を逸脱しない範囲で種々変更可能である。
【０１７５】
さらに、上記の各実施形態の一部又は全部は、以下の付記のようにも記載されうるが、以下には限られない。
（付記１）
爪、又は付け爪に装着されるスイッチであって、
押下されると、電気信号を出力する押下部と、
前記押下部から電気信号が入力されると、複数の情報の中から選択された、前記スイッチ個体に対応する所定の情報を電波として出力する送信部と、
を備えることを特徴とするスイッチ。
（付記２）
前記スイッチ個体に対応する識別子を記憶する記憶部を備え、
前記送信部は、前記電気信号が入力されると、前記記憶部に記憶される前記識別子を電波として出力する、
ことを特徴とする付記１に記載のスイッチ。
（付記３）
前記記憶部は、自身が備わる前記スイッチ個体の種類に対応する前記識別子を記憶する、
ことを特徴とする付記２に記載のスイッチ。
（付記４）
装飾物を備える、
ことを特徴とする付記１乃至３のいずれか１項に記載のスイッチ。
（付記５）
受信した電波から抽出した情報に対応する異なる所定の処理を実施する、
ことを特徴とする端末。
（付記６）
所定時間内に所定回数、受信した電波から同じ前記情報を抽出すると、抽出した前記情報と所定回数に対応する前記所定の処理を実施する、
ことを特徴とする付記５に記載の端末。
（付記７）
前記情報は、接続するスイッチ個体に対応する識別子である、
ことを特徴とする付記５乃至６のいずれか１項に記載の端末。
（付記８）
複数のスイッチと端末が無線回線を介して接続され、
前記スイッチは、付記１乃至４のいずれか１項に記載のスイッチであり、
前記端末は、付記５乃至７のいずれか１項に記載の端末である、
ことを特徴とするシステム。
（付記９）
爪、又は付け爪に装着されたスイッチが押下されると、複数の情報の中から選択された、前記スイッチ個体に対応する所定の情報を含む信号を生成する生成工程と、
受信した電波から抽出した前記信号に含まれる情報に対応して異なる所定の処理を行う前記端末に対し、前記信号を電波として出力する出力工程を有する、
ことを特徴とする端末制御方法。
（付記１０）
前記生成工程は、押下された前記スイッチ個体の種類に対応する所定の情報を含む前記信号を生成する、
ことを特徴とする付記９に記載の端末制御方法。
（付記１１）
前記端末は、所定時間内に所定回数、受信した電波から抽出した前記信号に同じ前記情報が含まれる場合に、前記情報と所定回数に対応する前記所定の処理を実施する、
ことを特徴とする付記９乃至１０のいずれか１項に記載の端末制御方法。
（付記１２）
前記装飾物は、クリスタルガラス、貴金属、ラインストーン、ビーズ、宝石のいずれか、又は組み合わせによって装飾された物体である、
ことを特徴とする付記４に記載のスイッチ。
（付記１３）
前記端末は、入力された信号に対応する異なる前記所定の処理を実施する処理部を備えた端末であって、
受信した電波から抽出した情報に対応する所定の信号を前記処理部に出力する制御部を備える、
ことを特徴とする付記５に記載の端末。
【符号の説明】
【０１７６】
１    装飾付スイッチ
２、４    スマートフォン
３    イヤホン
１０    押下部
１１    記憶部
１２    送信部
１３    給電部
１４    装飾部
２０、４０    処理部
２１、４１    制御部
１００、１１０    スイッチ
１０１、１１１    押下部
１０２、１１２    送信部
２００    端末
【図１】
2016063398.tif 000003
【図２】
2016063398.tif 000004
【図３】
2016063398.tif 000005
【図４】
2016063398.tif 000006
【図５】
2016063398.tif 000007
【図６】
2016063398.tif 000008